(57)【要約】【課題】本発明は、ヒンジを正確に装着し、且つ生産効率に優れた組み立て治具を提供することを目的とする。【解決手段】本発明に係る組み立て治具は、ヒンジを電子装置のディスプレイに装着させることに用いられ、且つディスプレイを支持するベース部と、該ベース部に設置されている装着部と、を備える。前記装着部は、ベース部から延伸して形成された２つの支持アームと、両端が前記２つの支持アームの頂端にそれぞれ連結された回転軸と、前記回転軸に固定されて前記回転軸の回転によって回転される回転アームと、を備え、前記回転アームには、ヒンジを回転アームに定位させる少なくとも２つの定位突起及びヒンジを回転アームに固定させる少なくとも１つの磁性部材が設置されている。【選択図】図１
2013033481.tif 000002
【特許請求の範囲】
【請求項１】
ヒンジを電子装置のディスプレイに装着させることに用いられる組み立て治具において、
前記ディスプレイを支持するベース部と、前記ベース部に設置されている装着部と、を備え、
前記装着部は、前記ベース部から延伸して形成された２つの支持アームと、両端が前記２つの支持アームの頂端にそれぞれ連結された回転軸と、前記回転軸に固定されて、前記回転軸の回転によって回転される回転アームと、を備え、
前記回転アームには、前記ヒンジを前記回転アームに定位させる少なくとも２つの定位突起及び前記ヒンジを前記回転アームに固定させる少なくとも１つの磁性部材が設置されていることを特徴とする組み立て治具。
【請求項２】
前記ベース部は、平板状であり、且つ前記ベース部の一面には、形状が前記ディスプレイの形状と対応する収容部が窪んだ状態で設けられていることを特徴とする請求項１に記載の組み立て治具。
【請求項３】
前記回転アームは、２つの縦アーム及び１つの横アームを備え、各々の縦アームの一端は前記回転軸に連接され、他端は前記横アームにそれぞれ連接されて、前記横アームと前記回転軸とは互いに平行であることを特徴とする請求項１または２に記載の組み立て治具。
【請求項４】
前記回転アームにおける前記定位突起及び前記磁性部材は、前記横アームに設置され、前記横アームには、貫通孔及びストッパー部がさらに設けられていることを特徴とする請求項３に記載の組み立て治具。
【発明の詳細な説明】
【技術分野】
【０００１】
本発明は、組み立て治具に関し、特に電子装置のヒンジの装着に用いられる組み立て治具に関するものである。
【背景技術】
【０００２】
ノートパソコン、携帯電話等のような電子装置において、ディスプレイと本体とは、ヒンジを介して連結されている。しかし、従来の電子装置の製造過程中において、ヒンジの装着は、手作業によって行われるので、位置ずれによる製品不良が生じることがあり、また、装着に時間がかかるため、生産効率が低い。
【発明の概要】
【発明が解決しようとする課題】
【０００３】
以上の問題点に鑑みて、本発明は、ヒンジを正確に装着し、且つ生産効率に優れた組み立て治具を提供することを目的とする。
【課題を解決するための手段】
【０００４】
前記課題を解決するために、本発明に係る組み立て治具は、ヒンジを電子装置のディスプレイに装着させることに用いられ、且つ前記ディスプレイを支持するベース部と、前記ベース部に設置されている装着部と、を備え、前記装着部は、前記ベース部から延伸して形成された２つの支持アームと、両端が前記２つの支持アームの頂端にそれぞれ連結された回転軸と、前記回転軸に固定されて前記回転軸の回転によって回転される回転アームと、を備え、前記回転アームには、前記ヒンジを前記回転アームに定位させる少なくとも２つの定位突起及び前記ヒンジを前記回転アームに固定させる少なくとも１つの磁性部材が設置されている。
【発明の効果】
【０００５】
本発明に係る組み立て治具は、ヒンジをディスプレイに迅速、且つ正確に装着させることができ、生産効率が向上される。
【図面の簡単な説明】
【０００６】
【図１】本発明の実施形態に係る組み立て治具の斜視図である。
【図２】図１に示した組み立て治具における装着部にヒンジが定位された状態を示す図である。
【図３】図２に示した組み立て治具の装着部において、ヒンジをディスプレイに装着した状態を示す図である。
【発明を実施するための形態】
【０００７】
以下、図面に基づいて、本発明に係る組み立て治具について詳細に説明する。
【０００８】
図１及び図２を参照すると、本発明に係る組み立て治具１００は、ヒンジ３００を電子装置のディスプレイ２００に装着させることに用いられる。前記ディスプレイ２００の１つの側縁には、半円弧状の２つのヒンジケース２０１が、前記ディスプレイ２００に対してほぼ垂直に設置されている。
【０００９】
前記組み立て治具１００は、ベース部１０及び装着部２０を備える。本実施形態において、前記ベース部１０は平板状であり、且つ前記ディスプレイ２００を支持することに用いられる。本実施形態において、前記ベース部１０の一面には、収容部１１が、窪んだ状態で設けられている。該収容部１１の形状は、前記ディスプレイ２００の形状に対応し、且つ前記ディスプレイ２００を収容及び定位することに用いられる。
【００１０】
２つの前記装着部２０は、前記ベース部１０の１つの側縁の両端に近接する箇所にそれぞれ設置されている。各々の前記装着部２０は、前記ベース部１０からほぼ垂直に延伸して形成された２つの支持アーム２１と、両端が前記２つの支持アーム２１の頂端にそれぞれ連結されたレバー状の回転軸２２と、前記回転軸２２に固定されて、該回転軸２２の回転によって前記ベース部１０に接近する方向又は前記ベース部１０から離れる方向に回転される回転アーム２３と、をそれぞれ備える。
【００１１】
図３を併せて参照すると、前記回転アーム２３は、互いに間隔をあけて、且つ平行に設置された２つの縦アーム２３１と、１つの横アーム２３２と、をそれぞれ備える。各々の前記縦アーム２３１の一端は、前記回転軸２２に連接され、他端は、前記横アーム２３２の両端にそれぞれ連接されている。これにより、前記横アーム２３２と前記回転軸２２とは、ほぼ平行である。前記横アーム２３２は、前記回転軸２２から離れる方向に該横アーム２３２から突出した少なくとも２つの定位突起２３２１と、前記横アーム２３２の一部が窪むようにして前記横アーム２３２の内部に設置された少なくとも１つの磁性部材２３２２と、貫通孔２３２３及び前記横アーム２３２の一端から突設されたストッパー部２３２４と、を備える。本実施形態において、前記磁性部材２３２２は磁石であり、前記ヒンジ３００は強磁性金属からなる。従って、該前記ヒンジ３００は、前記磁性部材２３２２によって引き寄せられる。
【００１２】
前記ヒンジ３００は、更に、第一固定部３０１と、第二固定部３０２と、前記第一固定部３０１と前記第二固定部３０２とを回転可能に連結するヒンジ軸３０３と、を備える。前記第一固定部３０１は、前記ディスプレイ２００に固定され、前記第二固定部３０２は、前記本体（図示せず）に固定される。また、前記第一固定部３０１には、少なくとも２つの定位孔３０１１及び固定孔３０１２がそれぞれ設けられている。
【００１３】
前記ヒンジ３００を前記ディスプレイ２００に取り付ける際、先ず、前記回転アーム２３における前記少なくとも２つの定位突起２３２１を、前記ヒンジ３００の前記第一固定部３０１における前記少なくとも２つの定位孔３０１１に挿入させて、前記ヒンジ３００を前記回転アーム２３に定位させる。この際、前記ヒンジ３００は、前記磁性部材２３２２の磁力によって引き寄せられることで前記回転アーム２３に固定され、これにより、該回転アーム２３に連動されて回転することができる。前記ヒンジ３００が前記回転アーム２３に固定された際、前記横アーム２３２の前記貫通孔２３２３と前記ヒンジ３００の前記固定孔３０１２とは位置合わせされる。
【００１４】
前記ヒンジ３００が前記回転アーム２３の回転によって連動されて、図２に示した位置（初期位置）から図３に示した位置（固定位置）まで回転した際、前記２つの回転アーム２３の前記ストッパー部２３２４は、前記ディスプレイ２００の両端の辺縁と係合して、前記ディスプレイ２００が移動することを防止し、前記ヒンジ３００の前記ヒンジ軸３０３は、半円弧状の前記ヒンジケース２０１内に収容される。また同時に、前記第一固定部３０１は、前記ディスプレイ２００に載置される。次いで、ネジ（図示せず）を前記貫通孔２３２３及び前記固定孔３０１２に挿入するとともに前記ディスプレイ２００における対応するネジ穴（図示せず）に螺合させて、前記ヒンジ３００を前記ディスプレイ２００に固定させる。前記ヒンジ３００の前記第一固定部３０１を前記ディスプレイ２００に固定させた後、前記回転アーム２３を前記ヒンジ３００の前記第一固定部３０１から離脱させて初期位置まで回転させる。
【００１５】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００１６】
１００  組み立て治具
２００  ディスプレイ
３００  ヒンジ
１０  ベース部
１１  収容部
２０  装着部
２１  支持アーム
２２  回転軸
２３  回転アーム
２３１  縦アーム
２３２  横アーム
２３２１  定位突起
２３２２  磁性部材
２３２３  貫通孔
２３２４  ストッパー部
２０１  ヒンジケース
３０１  第一固定部
３０２  第二固定部
３０３  ヒンジ軸
３０１１  定位孔
３０１２  固定孔
【図１】
2013033481.tif 000003
【図２】
2013033481.tif 000004
【図３】
2013033481.tif 000005